(57)【要約】  複数の折畳み式日除け列を含むウィンドウシェード。各日除け列は、操作機構によって閉じた状態から開いた状態まで調節でき、剛性第一横領域と、それに対向しており補剛端部を有する第二横領域と、を含んでいる。閉じた状態にある時、ウィンドウカバーは、列間に全く又は最小しか隙間を含まないので、光は実質的に又は完全に遮断される。又、ウィンドウカバーの前又は表から見た場合、固定部材及び開放部材も視野から隠される。操作機構は、第一横領域とそれに対向している第二横領域とを近付けるように引き寄せることによって、列を狭くさせる。操作機構は、更に、列を旋回させて、ウィンドウカバーの開口を一層広くする。
2007500296.tif 000002
【特許請求の範囲】
【請求項１】
ウィンドウシェードであって、
閉じた状態から開いた状態まで調節可能な、複数の折畳み式日除け列であって、
各々が、剛性第一横領域と、第一横領域に対向しており補剛端部を有する第二横領域と、を含む日除け列と、
剛性第一横領域と第二横領域とに固定された操作機構であって、列を狭くし且つ旋回させることによって少なくとも一列を閉じた状態から開いた状態まで移動させ、複数の折畳み式日除け列を制御できる状態で調節するのに適している操作機構と、
を含み、
開いた状態において、補剛端部は、日除け列の少なくとも一部の剛性第一横領域に隣接している、ウィンドウシェード。
【請求項２】
複数の日除け列の少なくとも１つの第一剛性横領域は、操作可能な状態で重りに接続されて、日除け列が開いた状態へと旋回するように回転するのを助ける、請求項１に記載のウィンドウシェード。
【請求項３】
操作機構は、開放部材と固定部材とを含む、請求項１に記載のウィンドウシェード。
【請求項４】
開放部材は、補剛端部に固定され、固定部材は、第一横領域に固定されている、請求項３に記載のウィンドウシェード。
【請求項５】
開放部材は、固定部材に対し相対的に引き上げられて、複数の列を閉じた状態から開いた状態まで調節する、請求項４に記載のウィンドウシェード。
【請求項６】
開放部材は、第一横領域に固定され、固定部材は、補剛端部に固定されている、請求項３に記載のウィンドウシェード。
【請求項７】
開放部材は、固定部材に対し相対的に引き下げられて、複数の列を閉じた状態から開いた状態まで調節する、請求項６に記載のウィンドウシェード。
【請求項８】
固定部材は、複数の列を閉じた状態から開いた状態まで調節するために移動可能である、請求項３に記載のウィンドウシェード。
【請求項９】
固定部材と開放部材とは、独立して移動できる、請求項３に記載のウィンドウシェード。
【請求項１０】
ウィンドウカバーが閉じた状態にある時、操作機構は隠される、請求項１に記載のウィンドウシェード。
【請求項１１】
操作機構は、細長い材料を含む、請求項１に記載のウィンドウシェード。
【請求項１２】
操作機構は、紐部材を含む、請求項１に記載のウィンドウシェード。
【請求項１３】
操作機構は、ウィンドウカバーの背後を横切って延伸するパネルを含む、請求項１に記載のウィンドウシェード。
【請求項１４】
複数の日除け列の各々は、開いた状態にある時、実質的に扁平な断面形状を有する、請求項１に記載のウィンドウシェード。
【請求項１５】
複数の日除け列の各々は、補剛端部が剛性第一横領域に接するような、半開き状態に置くことができることを特徴とする、請求項１に記載のウィンドウシェード。
【請求項１６】
操作機構は、複数の折畳み式日除け列を旋回させることによって、複数の折畳み日除け列を半開き状態から開いた状態へ移動させることができる、請求項１５に記載のウィンドウシェード。
【請求項１７】
ウィンドウシェードであって、
複数の折畳み式日除け列と、
複数の日除け列に固定された操作機構であって、閉じた状態から半開き状態へと複数の列を狭くし、且つ半開き状態から開いた状態へと複数の列を旋回させるように操作できる操作機構と、
を含む、ウィンドウシェード。
【請求項１８】
各日除け列は、第一端を画定している第一剛性横領域と、第一横領域に対向しており補剛端部を有する第二横領域と、を含み、操作機構は、剛性第一横領域と第二横領域とに固定されおり、且つ操作機構が、第一端と第二補剛端部の間の距離を短くすることにより、閉じた状態から開いた状態まで複数の折畳み式日除け列を狭くするのに適している、請求項１７に記載のウィンドウシェード。
【請求項１９】
複数の日除け列の少なくとも１つの第一剛性横領域は、操作可能な状態で重りに接続されて、開放方向において半開き状態から開いた状態へと旋回するように日除け列を付勢する、請求項１８に記載のウィンドウシェード。
【請求項２０】
操作機構は、補剛端部に固定された開放部材と、第一横領域に固定された固定部材と、を含む、請求項１８に記載のウィンドウシェード。
【請求項２１】
操作機構は、補剛端部に固定された固定部材と、第一横領域に固定された開放部材と、を含む、請求項１８に記載のウィンドウシェード。
【請求項２２】
操作機構は、開放部材と固定部材とを含み、開放部材と固定部材の各々は、紐又は細長い材料の何れかから成る、請求項１６に記載のウィンドウシェード。
【請求項２３】
操作機構は、ウィンドウカバーの背後を横切って延伸するパネルを含む、請求項１６に記載のウィンドウシェード。
【請求項２４】
第二横領域は、剛性材料から構成される、請求項１６に記載のウィンドウシェード。
【請求項２５】
操作機構と複数の折畳み式日除け列とを含み、且つ閉じた状態、半開き状態、及び開いた状態を有するウィンドウシェードを開く方法であって、
複数の日除け列のいくつかを狭くすることによって、複数の日除け列の少なくとも一部を閉じた状態から半開き状態へと調節するために操作機構を作動させることと、
複数の日除け列の各々を旋回させることによって、複数の日除け列を半開き状態から開いた状態へ移動させるように、操作機構を作動させることと、
を含む方法。
【請求項２６】
複数の日除け列の各々は、開いた状態において、実質的に扁平な断面形状を有する、請求項２５に記載の方法。
【請求項２７】
日除け列の各々は、剛性第一横領域と、第一横領域に対向しており補剛端部を有する第二横領域と、を含み、且つ閉じた状態から半開き状態へと複数の折畳み式日除け列を狭くすることが、第一横領域と補剛端部の間の距離を短くすることを含む、請求項２５に記載の方法。
【請求項２８】
日除け列の各々は、第一端部を画定する剛性第一横領域と、第一横領域に対向しており補剛端部を有する第二横領域と、を含み、且つ半開き状態から開いた状態へと複数の折畳み式日除け列の各々を旋回させることが、補剛端部と第一端部の相対位置を調節することを含む、請求項２５に記載の方法。
【請求項２９】
複数の列と、複数の列の各々に調操作可能な状態で接続できる操作機構と、を含むウィンドウカバーであって、
各列は、
第一遠位部と第一端部とを含む第一長手領域であって、第一長手領域は第一端部で操作機構に固定することができ、第１遠位領域は補剛されている第一長手領域と、
第二遠位部と補剛端部とを含む第二長手領域であって、第二長手領域は補剛端部で操作機構に固定することができ、
少なくとも実質的に第一遠位部と等しい長さである第二遠位部と、
を含み、
操作機構は、開放部材と固定部材とを含み、補剛端部と第一長手領域とを互いに近付けるように移動することによって、閉じた状態から半開き状態へと複数の列の少なくとも１つを狭くするのに適しており、
操作機構は、更に、半開きの位置から開いた位置へ、複数の列の少なくとも１つを旋回させるのにも適している、ウィンドウカバー。
【請求項３０】
列の第一長手領域は、操作可能な状態で重りに接続されて、開放方向において半開き状態から開いた状態へと、日除け列を旋回するように付勢する、請求項２９に記載のウィンドウカバー。
【請求項３１】
開放部材は、補剛端部に固定され、固定部材は、第一横領域に固定されている、請求項２９に記載のウィンドウカバー。
【請求項３２】
固定部材は、補剛端部に固定され、開放部材は、第一横領域に固定されている、請求項２９に記載のウィンドウカバー。
【請求項３３】
操作機構は、ウィンドウカバーの背後を横切って延伸する、開き紐、細長い材料、又はパネルを含む、請求項２９に記載のウィンドウカバー。
【請求項３４】
開放部材と固定部材とは、独立した移動ができる、請求項２９に記載のウィンドウカバー。
【請求項３５】
第二遠位部は第一遠位部よりも長さが大きい、請求項２９に記載のウィンドウカバー。
【発明の詳細な説明】
【技術分野】
【０００１】
本発明は、改良されたウィンドウカバーに関する。特に、本発明は、複数の列と操作機構とを含むウィンドウカバーであって、列を狭まくし且つ旋回させることによって、列を閉じた状態から開いた状態まで調節できる、ウィンドウカバーに関する。
【背景技術】
【０００２】
装飾用ウィンドウカバーは、プライバシーを提供し且つ日光を遮蔽するために、広く用いられている品目であり、種々の形をとっている。ウィンドウカバーの広く用いられている二つの実例は、ローマン・シェードとベネチアン・ブラインドである。
【０００３】
典型的なローマン・シェードは、上端に沿って頭部レールに取り付けられた布地材料から成り、ある間隔で集められ、布地の表面を横切る一連の弱い折り目を生じ、それがローマン・シェードに段々滝のような又は弱い襞がついたような外観を与える。ローマン・シェードは、引き上げられた時に、全体の日除けがウィンドウカバーの頂部近くに来るまで、水平な折り目又は襞をつけた状態で底部から集められるように構成されている。シェード（日除け）は、シェードに取り付けられたガイド（案内装置）と共に用いられる種々の紐類を引っ張ることにより操作される。
【０００４】
しかし、典型的なローマン・シェードの欠点の一つは、部屋へ日光を入れたい場合、ベネチアン・ブラインドではブラインド羽根板を傾けることで入れられるが、実質的なプライバシーの喪失に繋がるようなウィンドウカバー全体の底部の引き上げや頂部の引き下げを意思に反して行なわずに、ウィンドウカバーの全面に開口を形成する方法が無いことである。それ故、シェードに隙間を開けて日光は通すけれども、日除け全体の上げ下ろしを必要としないで、比較的高度なプライバシーが保てる機能を提供することが望まれる。
【０００５】
伝統的なベネチアン・ブラインドは、頭部レール、底部レール、複数の羽根板、複数の上げ紐を含む引き上げ機構、及び複数のラダー紐を含む傾斜機構又は調節機構を含んでいる。典型的には、昇降部材は、底部レールと羽根板のバランスをとるようにブラインドに水平方向に対称的に設けられ、それらを同期させて上げ下げする紐を含んでいる。上げ紐を引くことにより、望みのままに、底部レールと羽根板は頭部レールに対し相対的に上げ下げされる。
【０００６】
羽根板は、ラダー紐を調節する昇降機構を操作することによって、上又は下に傾けられる。この点に関して、各ラダーは、一般的には、垂直方向に或る間隔で並んだ複数の横木によって互いに結合された、前面と背面の垂直延伸部材又はラダー紐を含んでいる。ラダーの垂直延伸部材間の各横木上に支持されているのは、羽根板の長辺である。一般に、頭部レールは、各ラダーの垂直延伸部材を互いに反対の垂直方向へ移動させて各羽根板をその長軸の周りに旋回させるように、ラダーを移動させるための傾斜機構又は調節機構を含む。上述の羽根板を違った傾斜角度で傾けることにより、ベネチアン・ブラインドを通して室内へ投射される日光の量と方向とを制御し、調整することができる。
【０００７】
しかしベネチアン・ブラインドは、閉じた時に、ブラインドの正面と背面の両方からラダーが部分的に目に入るという、審美的な欠点を有している。このラダーは、それさえなければ連続的であるウィンドウカバーの外観を、不本意ながら分離するものである。同様に、ベネチアン・ブラインドが閉じられた時に、上げ紐と傾斜紐用の孔も視野に入る。このことが更に、ウィンドウカバーの審美的魅力を損なうと同時に、ブラインドが閉じられていても更なる日光を室内に侵入させる。
【０００８】
（発明の開示）
本発明は、ベネチアン・ブラインドと同様ウィンドウカバーに隙間を生じさせるけれども、操作機構も同時に隠されるような、改良されたウィンドウカバーを提供することによってこれらの欠点を克服する。本発明は、更にウィンドウカバーを操作する方法にも関する。
【０００９】
本発明によるウィンドウシェードは、複数の折畳み式日除け列を含む。これら日除け列の各々は、操作機構によって閉じた状態から開いた状態まで調節可能であり、剛性第一横領域と、それに対向しており補剛端部を有する第二横領域と、を含む。第二横領域は、布地のような可撓性材料を含んでもよく、又は、第一横領域で見られるような剛性材料を含んでもよい。横領域は、軽量プラスチック羽根板などの補剛部材を取り入れる、補剛布地を用いる、布地にスプレーコーティング処理を行なう、などを含む多様な方法で補剛され得る。
【００１０】
好ましい実施形態において、開放機構は、第二横領域の補剛端部に固定された開放部材と、第一横領域に固定された固定部材と、を含む。開放部材は、紐、細長い材料、などであってよい。同様に、固定部材は、紐、細長い材料、ウィンドウカバーの背後を横切って延伸するパネルであってもよい。
【００１１】
閉じた状態において、ウィンドウカバーは、列の間に含まれる隙間が全くないか又は最小であるので、日光は実質的に又は完全に遮蔽される。更に、固定及び開放部材は、ウィンドウカバーの正面または表面から見た場合に、視野から隠されるのが好ましい。開いた状態では、複数の羽根板が完全に開いた位置に調節されたベネチアン・ブラインドが持つような外観を、ウィンドウカバーが有することが好ましい。言い換えれば、開いた状態では、各列は実質的に扁平な断面形状を有し、ブラインドの長さに垂直な方向に一直線に整列されるのが好ましい。閉じた状態と開いた状態との間に、ウィンドウカバーは、半開き状態を有する。
【００１２】
ウィンドウカバーの閉じた状態から半開き状態への調節は、複数の日除け列を狭くすることによって行なわれる。好ましくは、これは、第一横領域と複数列の補剛端部との間の距離を短くすることを含む。例えば、開放部材が複数の日除け列の下端に固定されている場合、開放部材が引き上げられると、各列の下端も、固定部材が固定されている上端に対し相対的に引き上げられ、列の正面の背後に引き寄せられて、ウィンドウカバーの正面に形成された開口が日光を通過させる。代りに、開放部材が各列の上端に固定され、固定部材が下端に固定されて、開放部材が固定部材に対し相対的に引き下げられた時、列が狭められることもある。開放部材を固定部材に対し相対的に動かすことに加えて、開放部材を静止状態に保ちつつ固定部材を動かすこと、又は固定部材と開放部材を同時に又は互いに独立にの何れかで動かすことも可能である。複数の列は、第二横領域の補剛端部が剛性第一横領域に近接し好ましくは接触するような半開き状態の位置になるまで、これらの何れかの方法で狭められる。
【００１３】
複数の列の半開き状態から開いた状態への調節は、補剛端部を第一横領域の第一端部に対し相対的に動かして、複数の日除け列の各々を旋回させることによって達成される。好ましい形態において、日除け列の第一剛性横領域は、操作できる状態で重りへ接続されて、各日除け列を開いた位置に向かって付勢する。
【００１４】
本発明は、使用者が多数の列を傾斜させてウィンドウカバーを完全に開くことができると同時に、使用者がローマ風日除けの外観を有するウィンドウカバーの列を狭くすることのできるような、非常に適合性のよいウィンドウカバーを提供する。幾つかの実施形態においては、本発明は、ウィンドウカバーの特定の列を開いたり閉じたりするのを、使用者が選べるようにする。
【発明を実施するための最良の形態】
【００１５】
本明細書に開示された発明は、多くの異なった形での実施形態を採ることができる。図面に示され、以下に詳細に説明されているのは、発明の好ましい実施形態である。しかし、本開示は、発明の原理の例証であって、例示してある実施形態に発明を限定するものではないことを理解するべきである。
【００１６】
図１及び図２を参照すると、本発明のウィンドウカバーの好ましい一実施形態が、閉じた状態で示されている。ウィンドウカバー１００は、複数の折畳み式日除け列１０２を含み、日除け列の各々は、操作機構により閉じた状態から開いた状態まで調節可能である。各日除け列１０２は、剛性第一横領域１０４と、それに対向しており補剛端部１０８を有する第二横領域１０６と、を含む。
【００１７】
複数の列１０２は、操作部材、例えば固定部材１１２と開放部材１１４、によって頭部列１１０から吊り下げられている。固定部材１１２は、複数列１０２の各々における第一横領域１０４の後部又は第一端部１２０へ固定されている。開放部材１１４は、複数列１０２の各々において対向している第二横領域１０６の補剛端部１０８へ固定されている。固定部材１１２及び開放部材１１４を列へ固定する具体的な方法は、接着剤、超音波溶接、編み込み、結び付けなど、多くの形態を採ることができる。固定部材及び調節部材に配置された停止機構により、列部分の固定部材と開放部材とに対する相対的な動きを抑制することによっても、固定は達成できる。更に別の代替法は、固定部材と開放部材とを結び付ける、棒などの、アンカーを列に組み込むことである。このような棒を、固定部材及び開放部材によって画定される孔を貫通させて案内し、それらへ固定してもよい。
【００１８】
この実施形態において、操作機構は、頭部レール内に紐止め１１６を含み、それを通して開放部材１１４が案内される。操作機構の作動は、使用者が紐止めを開放し、開放部材１１４を望ましいように引き上げ又は引き下げ、次いで紐止め１１６を係合させることによって達成される。代わりに、操作機構は、ベネチアン・ブラインドやローマン・シェードで共通して見られるような、制御できる状態で開放部材を上げ下げするための適切な機構を含んでもよい。また、ウィンドウシェード（窓用日除け）１００の全列１０２を昇降するために、上げ紐１１８が含まれてもよい。
【００１９】
図示のように、閉じた状態にある時、ウィンドウカバーは隙間が全く無いか又は最小であるので、日光は実質的に又は完全に遮蔽される。詳細には、補剛端部１０８は、隣り合った下の列における第一横領域１０４の第一端部１２０より低い位置に置かれる。従って、ウィンドウカバーの正面又は表面から見た場合、固定部材１１２及び開放部材１１４も視野から隠される。
【００２０】
図３を参照すると、ウィンドウカバー１００の閉じた状態から半開き状態への調節は、複数の日除け列１０２の各断面形状（プロファイル）を狭くすることによって行なわれる。好ましくは、このことは、複数の列１０２における第一横領域１０４と補剛端部１０８との間の距離を短くする又は間隔を狭くすることを含む。
【００２１】
例えば、開放部材１１４が引き上げられた場合、各列１０２に関して、補剛端部１０８も第一横領域１０４に対し相対的に引き上げられ、列正面の背後に引き寄せられて、ウィンドウカバー１００の正面に形成される開口が、日光を通過させる。図示のように、第二横領域１０６の補剛端部１０８が剛性第一横領域１０４に接する時、ウィンドウカバー１００は半開き状態にある。半開き状態において、列の各々は下方へ傾斜している。
【００２２】
図４を参照すると、複数の列の半開き状態から開いた状態への調節は、補剛端部１０８を第一横領域の第一端部１２０に対し相対的に引き上げて、第一端部１２０の周りに複数日除け列１０２の各々を旋回させることにより達成される。好ましい形態において、日除け列１０２の第一剛性横領域１０４は、操作できる状態で重り１２２と接続され、日除け列の各々が開いた状態へと旋回及び回転するのを助ける。
【００２３】
ウィンドウカバー１００の各列の更に詳細な説明を、図５及び代表的な列１０１に関して論じる。列１０１は、対向する横領域１０４及び１０６を有する、布地材料からできている。横領域１０４及び１０６の各々は、遠位部１０５及び１０７をそれぞれ含んでいる。この実施形態においては、第一横領域１０４は、布地層１２８及び１３０の間に挟まれた剛性羽根板１２６などの補剛部材を含んでいる。第一横領域１０４は更に孔１３２を画定している。第一横領域１０４の第一端部１２０と一緒に、重り１２２が配置されている。固定部材１１２は第一端部１２０へ固定され、一方、開放部材１１４と上げ紐１１８は孔１３２を貫通しているので、第一横領域１０４へは固定されない。この実施形態における重り１２２は、第一端部１２０内に、重い材料から成る棒を第一端部１２０の中に設けることなどにより組み込まれる。代りに、重りを、第一端部の近くにクリップで留めるか、又はその他の方法で取付けてもよい。更に別の代替法として、重りは、各列に操作可能な状態で接続された底部レールの形態であってもよい。
【００２４】
この実施形態において、第二横領域１０６は、布地のような可撓性材料から作られている。第二横領域１０６は、細長い部材１３４を有し、且つ上げ紐１１８が貫通する孔１３６を画定している補剛端部１０８を含む。開放部材１１４は、この補剛端部１０８へ固定される。固定部材１１２は、第二横領域１０６の背後を通る。上げ部材１１８は、開放部材の末端に配置されると説明したが、これは必要条件ではない。上げ部材１１８も、孔１３６を貫通しているように示されている。このことは、好ましいことではあるが、必要条件ではない。上げ部材１１８に孔１３６を貫通させることによって、複数の列に対する案内と、一般的に一層安定なウィンドウカバーとを提供する。
【００２５】
この実施形態においては、開かれた時に、ウィンドウカバーの列が実質的に扁平な断面形状（プロファイル）を有することが望まれる。それ故に、第二横領域１０６の遠位部１０７と、第一横領域１０４の遠位部１０５とは実質的に同じ長さである。以下で更に詳しく説明するように、遠位部１０７と遠位部１０５は実質的に同じ長さなので、列が開かれた時、第一及び第二横領域１０４、１０６は互いに隣接しており、ほぼ扁平な断面形状を有する。
【００２６】
図６に示すように、開放部材１１４が引き上げられると、第二横領域１０６の第二遠位部１０７は第一横領域１０４の第一遠位部１０５の背後に引き上げられ、それにより列１０１の断面形状を狭くし、隙間を生ずる。第二横領域１０６の補剛端部１０８が第一横領域１０４と接触すると、半開き状態に達する。この実施形態で示されるように、半開き状態に達すると、第一及び第二横領域１０４、１０６の遠位部１０５、１０７は、それぞれお互いに隣接して存在する。
【００２７】
図７を参照すると、開放部材１１４が更にもっと引き上げられると、第一横領域１０４が実質的に第一端部１２０の周りに旋回又は回転する。図示のように、第一横領域１０４の遠位部１０５は、ベネチアン・ブラインドの羽根板を傾けるのと事実上似ているが、それとは別の方法で上向きに回転する。反対方向に動く懸垂紐を必要とするベネチアン・ブラインドにおいて見られるように、羽根板を傾斜させるのにラダーを用いるのではなく、開放部材１１４を引き上げて、列１０１の遠位部１０５及び遠位部１０７の重量に打ち勝つのに十分な力がもたらす。軸の周りの旋回を助けるのは重り１２２であって、遠位部１０７の大きな重量を相殺するのに助けとなる。図示のように、傾けられた時、列の比較的扁平な断面形状が、ウィンドウカバーのほぼ全面積を開いて日光を通させることができる。
【００２８】
ここまでに論じた実施形態において、列の第二横領域は、自然に吊り下がるか又はだらりと垂れ下がるように、布地などの可撓性材料から作られると説明した。代りに、第二横領域は、他の望ましい美的外観を提供するように補剛されたり、外形を整えられたりすることがある。例えば、第二横領域が補剛されている本発明の一実施形態が、図８に示してある。前出の実施形態のように、ウィンドウカバー２００は、頭部レール２１０と、固定部材２１２と、開放部材２１４と、上げ紐２１８と、を含む。
【００２９】
この実施形態において、ウィンドウカバー２００は、第一横領域２０４と同様に補剛された第二横領域２０６を含んでいる。それ故、だらりと垂れ下がった外観を有するのではなく、規則的な襞のある外観を呈する。好ましくは、第一横領域２０４は第二横領域２０６よりも幅が僅かに大きく、第二横領域２０６の補剛端部２０８が第一横領域２０４に接触した時に、第一横領域と第二横領域とは互いに実質的に扁平に積み重ねられる。好ましい実施形態において、第二横領域２０６と第一横領域２０４は、プラスチックの細片などの補剛部材を取り入れることによって補剛される。
【００３０】
本発明によるウィンドウカバー３００の更に別の実施形態を、図９に示す。この場合もやはり、ウィンドウカバー３００は、頭部レール３１０と、固定部材３１２と、開放部材３１４と、上げ紐３１８と、を含む。この実施形態において、第二横領域３０６は可撓性布地材料から作られている。第二横領域は、可撓性ではあるが、特別な織り模様又は布地処理を通して、所望の形状で垂れ下がるように、外形を整えられる。言い換えれば、自然に吊り下がる又はだらりと垂れ下がるのではなく、布地は、閉じた状態で特定の形を保持する。
【００３１】
説明した他の実施形態と同様、第一横領域３０４の遠位部３０５は実質的に第二横領域３０６の遠位部３０７と同じ長さなので、第二横領域３０６の補剛端部３０８が第一横領域３０４に接触した時、半開き状態に達し、遠位部３０５と３０７は互いに近接して置かれ、実質的に扁平な断面形状を形成する。開いた状態への更なる動きは、先に論じたのと同じ方法で達成される。
【００３２】
本発明によるウィンドウカバーの更に二つの実施形態を、図１０と１１に示す。図１０において、ウィンドウカバーは、図１に示したものと同様である。しかし、一つの違いは、列４０１などの各列に対して、固定部材４１２と開放部材４１４が、幅が狭く細長い材料からできていることである。図示のように、開放部材４１４は第一横領域４０４に形成された孔４３２を貫通しており、固定部材４１２は第一横領域４０４へ固定されている。開放部材４１４は、更に第二横領域４０６の補剛端部４０８へ固定されている。前出の実施形態と同様、重り部材４２２も含まれている。
【００３３】
図１１において、列５０１などの複数の列を含むウィンドウカバーは、ウィンドウカバー５００の背後を横切って延伸するパネル５１２を固定部材として利用している。パネル５１２は、複数の列５０２が開けられた時でも、日光が差し込むのは許すけれども、依然としてプライバシーは維持されるような、半透明布地などの望ましい布地で作られ得る。開放部材５１４は、第一横領域５０４に形成された孔５３２を貫通し、且つ第二横領域５０６の補剛端部５０８へ固定される紐を含む。
【００３４】
本発明によるウィンドウカバーの別の実施形態を、図１２〜１４を参照して説明する。
【００３５】
ここまで論じた実施形態において、種々の列を狭めたり傾斜したりすることは、剛性第一横領域に対し開放部材に関係のある補剛列端部を相対的に引き上げることによって達成される。図１２〜１４に示すように、列６０１などウィンドウカバーの種々の列を狭めたり傾斜したりすることは、剛性第一横領域６０４を補剛列端部６０８に対し相対的に引き下げることにより達成される。横領域６０４と６０６の各々は、遠位部６０５と６０７をそれぞれ含んでいる。第一横領域６０４は更に孔６３２を画定しており、且つ二つの布地部分６２８と６３０の間に挟まれた補剛部材６２６を含んでいる。第一横領域６０４の第一端部６２０と一緒に重り６２２が配置されている。開放部材６１４は、第一端部６２０へ固定され、一方固定部材６１２と上げ紐６１８は孔６３２を貫通しているので、第一横領域６０４へは固定されていない。第二横領域６０６は、補剛端部６０８を含み、上げ紐６１８を貫通させる孔６３６を画定している。固定部材６１２はこの補剛端部６０８へ固定される。開放部材６１４は、第二横領域６０６の背後を通る。好ましくは、固定部材６１２及び上げ紐６１８は、図１に示すように、底部レールへ接続される。
【００３６】
図１３に示すように、開放部材６１４が引き下げられた時、第二横領域６０６の第二遠位部６０７は第一横領域６０４の第一遠位部６０５の背後を移動し、それにより列６０１の断面形状を狭め、隣り合う列の間に隙間を生じさせる。第二横領域６０６の補剛端部６０８が第一横領域６０４に接した時、前出の実施形態と同様の半開き状態に達する。
【００３７】
図１４を参照すると、開放部材６１４が更に下げられると、第一横領域６０４が補剛端部６０８の周りを旋回又は回転する。重り６２２はまた、遠位部６０５及び６０７の大きな重量を相殺することにより旋回的回転を促進する。
【００３８】
このウィンドウカバーのもう一つの任意の特徴は、使用者が操作機構へ操作できる状態で接続された特定の列を選べるようにする、留め具モジュールを各列に備えることである。例えば、「ウィンドウカバー用留め具モジュール、及び、ウィンドウカバーの選択された列を開放する方法」と題し、ＦＵ−Ｌａｉ  Ｙｕ、Ｃｈｉｎ−Ｔｉｅｎ  Ｈｕａｎｇ、及びＳｈｕｎ−Ｃｈｉ  Ｙｕ氏を発明者とし、援用されている同時係属出願を参照のこと。即ち、操作機構を作動させて、選ばれた列のみを閉じた状態から開いた状態まで動かす。
【００３９】
以上の説明は、制限的でなく例示的なものとして受け取られるべきである。本発明の精神と範囲内における更に他の変更物が、当業者には容易に思い浮かぶであろう。
【図面の簡単な説明】
【００４０】
【図１】図１は、本発明による、閉じた位置にあるウィンドウカバーの好ましい実施形態の正面斜視図である。
【図２】図２は、図１のウィンドウカバーの側立面図である。
【図３】図３は、半開き状態にある、図１のウィンドウカバーの側立面図である。
【図４】図４は、開いた状態にある、図１のウィンドウカバーの側立面図である。
【図５】図５は、閉じた状態にあるウィンドウカバーの一実施形態における、選ばれた列の拡大側断面図である。
【図６】図６は、半開き状態にある図５の列の拡大側断面図である。
【図７】図７は、開いた状態にある図５の列の拡大側断面図である。
【図８】図８は、閉じた状態にあり、補剛第二横領域を有する、本発明によるウィンドウカバーの代替実施形態の側立面図である。
【図９】図９は、閉じた状態にあり、外形を整えられた第二横領域を有する、本発明によるウィンドウカバーの、他の代替実施形態の側立面図である。
【図１０】図１０は、操作機構の一部に材料の細片を用いた、本発明によるウィンドウカバー列の、他の代替実施形態の拡大正面斜視図である。
【図１１】図１１は、操作機構の一部にパネルを用いた、本発明によるウィンドウカバー列の、他の代替実施形態の拡大正面斜視図である。
【図１２】図１２は、閉じた状態にあるウィンドウカバーの他の実施形態における、選ばれた列の拡大側断面図である。
【図１３】図１３は、半開き状態にある、図１２の列の拡大側断面図である。
【図１４】図１４は、開いた状態にある、図１２の列の拡大側断面図である。
【図１】
2007500296.tif 000003
【図２】
2007500296.tif 000004
【図３】
2007500296.tif 000005
【図４】
2007500296.tif 000006
【図５】
2007500296.tif 000007
【図６】
2007500296.tif 000008
【図７】
2007500296.tif 000009
【図８】
2007500296.tif 000010
【図９】
2007500296.tif 000011
【図１０】
2007500296.tif 000012
【図１１】
2007500296.tif 000013
【図１２】
2007500296.tif 000014
【図１３】
2007500296.tif 000015
【図１４】
2007500296.tif 000016
【国際調査報告】
2007500296.tif 000017